【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
マーケティング情報を収集する方法であって、当該方法が、
ネットワークを介してユーザコンピュータと通信するプロセッサを提供するステップと、
前記プロセッサに接続されたメモリを提供するステップとを具え、当該メモリはデータ構造を具え、当該データ構造は複数のユーザアカウントに関連するデータを含み、
前記複数のユーザアカウントの各々が、ユーザアカウント識別子と、金融アカウントに関連する金融アカウント識別子とを含み、各金融アカウントはアカウントバランスを具えており、
前記プロセッサが、第１のユーザアカウントに関連する第１のユーザアカウント識別子と、選択条件と、メッセージとを含む電子トランザクションの申し出を受けるステップと、
前記プロセッサが、前記選択条件に合致する第２のユーザアカウントを同定するステップとを具え、
ここで前記第１のユーザアカウントと第２のユーザアカウントは、前記複数のユーザアカウント内のユーザアカウントであり、前記第２のユーザアカウントはマーケットプロファイルと、メッセージストアとを具えており、
前記プロセッサが、所定の条件が満たされているかを判定するステップと、
前記所定の条件が満たされていない場合に、前記トランザクションの申し出を拒否するステップと、
前記所定の条件が満たされている場合に、（１）前記メッセージを、前記第２のユーザアカウントに関するメッセージ保存部に配信し、（２）前記第１のユーザアカウントに関する前記アカウントバランスを第１の量だけ調整し、（３）前記プロセッサが、前記第２のユーザアカウントに関するメッセージ保存部に配送されたメッセージへのアクセス要求を受けた後に、前記第２のユーザアカウントに関する前記アカウントバランスを第２の量だけ調整するステップと、
前記データ構造内で、前記トランザクションに関する情報を、前記第２のユーザアカウントに関するマーケットプロファイルに保存するステップと、を含むことを特徴とする方法。
【請求項２】
請求項１の方法において、
前記トランザクションの申し出が最大料金を含んでおり、
前記第２のユーザアカウントが受信料金を含んでおり、
前記所定の条件は、前記重心料金が前記最大料金を超えない場合にのみ満たされることを特徴とする方法。
【請求項３】
請求項２の方法において、前記第１の量は負であり、当該第１の量の絶対値は前記受信料金以上であり、
前記第２の量は正であり、前記最大料金以下であることを特徴とする方法。
【請求項４】
請求項２の方法において、前記最大料金は、前記第２のユーザアカウントに関するデータに依存することを特徴とする方法。
【請求項５】
請求項２の方法において、前記第１のユーザアカウントが商業カテゴリ識別子を含むか、前記電子トランザクションの申し出が第１の商業カテゴリ識別子を含み、
前記第２のユーザアカウントがさらに受信料金の表を具え、この表は複数の商業カテゴリ識別子を含み、各商業カテゴリ識別子は対応する適用可能な受信料金を含み、
前記第１の商業カテゴリ識別子は、前記表内の複数の商業カテゴリ識別子のなかにあり、
前記プロセッサはさらに、（４）前記受信料金の表および前記第１の商業カテゴリ識別子に基づいて第１の適用可能な受信料金を特定し、（５）前記所定の条件が満たされるかを判断する際に前記第１の適用可能な受信料金を用いる、よう構成されていることを特徴とする方法。
【請求項６】
請求項１の方法において、さらに、
前記プロセッサが、前記第２のユーザアカウントと、前記第１のユーザアカウントを同定する選択条件と、第２のメッセージとを含む第２の電子トランザクションの申し出を受けるステップと、
前記第２のメッセージを、前記第１のユーザアカウントに関するメッセージ保存部に配信するステップと、
前記プロセッサが、前記第１のユーザアカウントに関するメッセージ保存部へのアクセス要求を受けるステップと、
前記第２のユーザアカウントに関するアカウントバランスを第３の量だけ調整するステップと、
前記第１のユーザアカウントに関するアカウントバランスを第４の量だけ調整するステップと、を具えることを特徴とする方法。
【請求項７】
請求項１の方法において、さらに、
前記プロセッサが、第２のユーザアカウントと、第２の選択条件と、第２のメッセージとを含む電子トランザクションの申し出を受けるステップと、
前記プロセッサが、前記第２の選択条件を満たす第３のユーザアカウントを同定するステップであって、当該第３のユーザアカウントは前記複数のユーザアカウント内のものであり、前記第３のユーザアカウントはメッセージ保存部を具えているステップと、
前記第２のメッセージを前記第３のユーザアカウントに関するメッセージ保存部に配信するステップと、
前記プロセッサが、前記第３のユーザアカウントに関するメッセージ保存部に配信された前記第２のメッセージへのアクセス要求を受けるステップと、
前記第２のユーザアカウントに関するアカウントバランスを第３の量だけ調整するステップと、
前記第３のユーザアカウントに関するアカウントバランスを第４の量だけ調整するステップと、を具えることを特徴とする方法。
【請求項８】
請求項１の方法において、前記電子トランザクションの申し出は第３の量を含んでおり、前記プロセッサがさらに前記第１および第３の量に基づいて前記第２の量を算出するよう構成されていることを特徴とする方法。
【請求項９】
請求項１の方法において、前記第１の量は正であり、前記第２の量は負であることを特徴とする方法。
【請求項１０】
請求項１の方法において、前記選択条件は、名前、郵便番号、およびマーケットプロファイルデータからなる群から選択される１以上を含むことを特徴とする方法。
【請求項１１】
請求項１の方法において、前記ユーザアカウントがマーケットプロファイルを含み、前記方法がさらに、
前記データ構造内に、前記第１のユーザアカウントに関する前記マーケットプロファイルに、前記トランザクションに関する情報を保存するステップを含むことを特徴とする方法。
【請求項１２】
マーケティング情報を収集するシステムであって、当該システムが、
ネットワークを介してユーザコンピュータと通信するプロセッサと、
当該プロセッサと通信するメモリであって、データ構造を具え、当該データ構造は複数のユーザアカウントに関するデータを含んでいるメモリとを具え、
前記複数のユーザアカウントの各々が、ユーザアカウント識別子と、金融アカウントに関連する金融アカウント識別子とを含み、各金融アカウントはアカウントバランスを具えており、
前記プロセッサはプログラムを実行するよう構成されており、当該プログラムは、
（１）第１のユーザアカウントに関する第１のユーザアカウント識別子と、選択条件と、メッセージと、最大料金とを含む電子トランザクションの申し出を受け取るステップと、
（２）前記選択条件を満たす第２のユーザアカウントを同定するステップであって、前記第１のユーザアカウントと前記第２のユーザアカウントは、前記複数のユーザアカウント内のユーザアカウントであり、前記第２のユーザアカウントはマーケットプロファイルと、メッセージ保存部と、受信料金とを含んでいるステップと、
（３）前記受信料金が前記最大料金を超えているかを判定するステップと、
（４）前記受信料金が前記最大料金を超えている場合に、前記電子トランザクションの申し出を拒絶するステップと、
（５）前記受信料金が前記最大料金を超えていない場合に、前記メッセージを前記第２のユーザアカウントに関する前記メッセージ保存部に配信するステップと、
（６）前記データ構造内に、前記トランザクションに関する情報を、前記第２のユーザアカウントに関するマーケットプロファイルに保存するステップと、を実行させるよう構成されていることを特徴とするシステム。
【請求項１３】
請求項１２のシステムにおいて、前記プログラムがさらに、
（７）前記第１のユーザアカウントに関する前記アカウントバランスを第１の量だけ調整するステップと、
（８）前記第２のユーザアカウントに関する前記メッセージ保存部へ配信されたメッセージへのアクセス要求を受けた後に、前記第２のユーザアカウントに関する前記アカウントバランスを第２の量だけ調整するステップと、を前記プロセッサに実行させることを特徴とするシステム。
【請求項１４】
請求項１２のシステムにおいて、前記電子トランザクションの申し出がさらに失効時間を有するとともに、前記プログラムがさらに、
（７）前記第２のユーザアカウントに関する前記メッセージ保存部に配信されたメッセージにかかる失効時間と、現在時間とを比較するステップと、
（８）前記失効時間が現在時間より早い場合に、前記電子トランザクションの申し出を拒否するステップと、を前記プロセッサに実行させることを特徴とするシステム。
【請求項１５】
請求項１３のシステムにおいて、前記第１の量は正であって前記第２の量以下であり、
前記第２の量は負であって当該第２の量の絶対値は前記受信料金以上であることを特徴とするシステム。
【請求項１６】
請求項１３のシステムにおいて、前記第１の量は負であって当該第１の量の絶対値は前記最大料金以下であり、
前記第２の量は正であって前記受信料金以下であることを特徴とするシステム。
【請求項１７】
請求項１２のシステムにおいて、前記第１のユーザアカウントが商業カテゴリ識別子を含むか、前記電子トランザクションの申し出が第１の商業カテゴリ識別子を含み、
前記第２のユーザアカウントがさらに受信料金の表を具え、この表は複数の商業カテゴリ識別子を含み、各商業カテゴリ識別子は対応する適用可能な受信料金を含み、
前記第１の商業カテゴリ識別子は、前記表内の複数の商業カテゴリ識別子のなかにあり、
前記プログラムがさらに、（７）前記受信料金の表および前記第１の商業カテゴリ識別子に基づいて第１の適用可能な受信料金を特定するステップと、（８）前記所定の条件が満たされるかを判断する際に前記第１の適用可能な受信料金を用いるステップを前記プロセッサに実行させることを特徴とするシステム。
【請求項１８】
請求項１２のシステムにおいて、前記最大料金は、前記第２のユーザアカウントに関するデータに依存することを特徴とするシステム。
【請求項１９】
請求項１７のシステムにおいて、前記前記第２のユーザアカウントは、前に受け取った前記第１の商業カテゴリに関するメッセージの数に関するデータを含み、
前記プログラムが、前に受け取った前記第１の商業カテゴリに関するメッセージ数に関するデータに基づいて前記第１の適用可能な受信料金を決定するステップを前記プロセッサに実行させることを特徴とするシステム。
【請求項２０】
請求項１３のシステムにおいて、前記プロセッサがさらに、
前記第２のユーザアカウントと、前記第１のユーザアカウントを同定する選択条件と、第２のメッセージとを含む第２の電子トランザクションの申し出を受けるステップと、
前記第２のメッセージを、前記第１のユーザアカウントに関するメッセージ保存部に配信するステップと、
前記第１のユーザアカウントに関するメッセージ保存部の前記第２のメッセージへのアクセス要求を受けるステップと、
前記第２のユーザアカウントに関するアカウントバランスを第３の量だけ調整するステップと、
前記第１のユーザアカウントに関するアカウントバランスを第４の量だけ調整するステップと、を実行することを特徴とするシステム。
【請求項２１】
請求項１３のシステムにおいて、前記プロセッサがさらに、
第２のユーザアカウントと、第２の選択条件と、第２のメッセージとを含む第２の電子トランザクションの申し出を受けるステップと、
前記第２の選択条件を満たす第３のユーザアカウントを同定するステップであって、当該第３のユーザアカウントは前記複数のユーザアカウント内にあり、前記第３のユーザアカウントはメッセージ保存部を具えているステップと、
前記第２のメッセージを前記第３のユーザアカウントに関するメッセージ保存部に配信するステップと、
前記第３のユーザアカウントに関するメッセージ保存部に配信された前記第２のメッセージへのアクセス要求を受けるステップと、
前記第２のユーザアカウントに関するアカウントバランスを第３の量だけ調整するステップと、
前記第３のユーザアカウントに関するアカウントバランスを第４の量だけ調整するステップと、を実行することを特徴とするシステム。
【請求項２２】
請求項１２のシステムにおいて、前記第２のユーザアカウントに関するマーケットプロファイル内のデータ構造に保存された前記トランザクションに関する情報は、購入履歴、トランザクション履歴、調査への回答、送信メッセージ、および受信メッセージからなる群から選択される情報を含むことを特徴とするシステム。
【請求項２３】
請求項１２のシステムにおいて、前記電子トランザクションの申し出はハイパーリンクを含んでおり、前記プログラムは、前記第２のユーザアカウントに関連するユーザコンピュータにより前記ハイパーリンクがアクティベートされた通知を受け取るステップを前記プロセッサに実行させ、前記所定の条件は、前記ハイパーリンクがアクティベートされた通知を前記プロセッサが受け取った場合のみ満たされることを特徴とするシステム。
【請求項２４】
請求項１３のシステムにおいて、前記電子トランザクションの申し出はハイパーリンクを含んでおり、前記プログラムは、前記第２のユーザアカウントに関連するユーザコンピュータにより前記ハイパーリンクがアクティベートされた通知を受け取るステップを前記プロセッサに実行させ、前記所定の条件は、前記ハイパーリンクがアクティベートされた通知を前記プロセッサが受け取った場合のみ満たされることを特徴とするシステム。
【請求項２５】
請求項１２のシステムにおいて、前記電子トランザクションの申し出はさらに、支払い金額の識別子を含み、
前記プログラムはさらに、
（７）前記第１のユーザアカウントに関するアカウントバランスを第１の量だけ調整するステップであって、前記第１の量は前記支払金額および前記受信料金に基づいているステップと、
（８）前記第２のユーザアカウントに関する前記メッセージ保存部に配信されたメッセージへのアクセス要求を受けた後に、前記第２のユーザアカウントに関するアカウントバランスを第２の量だけ調整するステップであって、前記第２の量は前記支払金額および前記受信料金に基づいているステップと、を前記プロセッサに実行させることを特徴とするシステム。
【請求項２６】
マーケティング情報を収集するためのコンピュータ化された方法において、複数のユーザアカウントを有し、当該システムは第１のユーザ、第２のユーザ、および第３のユーザをそれぞれ第１、第２および第３のネットワーク接続デバイスで接続し、前記ユーザはそれぞれシステム上に第１、第２および第３のアカウントを有し、各デバイスは１以上のネットワークサーバにアクセスして前記アカウントに関連する情報を含むファイルを保存または取得可能であり、
（ａ）各ユーザアカウントはSummaアカウントを有し、各Summaアカウントはデビットとクレジットの双方が可能な金融アカウントと、金融アカウントバランスと、メッセージングシステムと、マーケティング情報とを具え、
（ｂ）第１のユーザアカウントを送信者とし、第２のユーザアカウントを受信者として、メッセージ部と料金割り当て部とを含むSummaメッセージを送信するステップと、
（ｃ）前記第２のユーザアカウントに前記メッセージ部を配信するとともに、当該メッセージ部の送達の確認がとれた場合にのみ、前記料金割り当て部にかかる資金を前記第２のユーザアカウントに移転させるステップと、
（ｄ）第２のユーザアカウントを送信者とし、第３のユーザアカウントを受信者として、第２のメッセージ部と第２の料金割り当て部とを含む第２のSummaメッセージを送信するステップと、
（ｅ）前記第３のユーザアカウントに前記第２のメッセージ部分を配信するとともに、当該第２のメッセージ部の送達の確認がとれた場合にのみ、前記第２の料金割り当て部にかかる資金を前記第３のユーザアカウントに移転させるステップと、
（ｆ）少なくとも１のユーザに、当該少なくとも１のユーザのアカウントに支払われるべき金額を指定させ、少なくとも１の他のユーザからの返信を受け取った場合に前記少なくとも１のユーザの前記金融アカウントバランスを増加させるステップと、
（ｇ）前記ファイル内にマーケティングデータベースを保存するステップであって、当該マーケティングデータベースは、１以上のマーケティングメッセージの受け入れがより見込めそうな１以上のユーザを同定するのに利用可能な、配信された複数のSummaメッセージについてのマーケティング情報を含んでいるステップと、を前記１以上のネットワークサーバが実行することを特徴とする方法。